(57)【要約】【課題】載置される果物に傷をつけることがなく、設置安定性に優れる果物台を提供すること。【解決手段】逆Ｕ字形断面のリング状であって、逆Ｕ字形の下端部が形成する裏面視で２つのリング帯３、４が設置台に接地し、逆Ｕ字形の上方内側コーナー部６で載置物の果物と当接する弾性のリング本体１と、リング本体１の下端の内周縁９からリング本体１の中心方向に延びる内縁リング帯部７とを備える果物台。【選択図】図１
0003120186.tif 000002
【実用新案登録請求の範囲】
【請求項１】
逆Ｕ字形断面のリング状であって、逆Ｕ字形の下端部が形成する裏面視で２つのリング帯が設置台に接地し、逆Ｕ字形の上方内側コーナー部で載置物の果物と当接する弾性のリング本体と、
該リング本体の下端の内周縁から該リング本体の中心方向に延びる内縁リング帯とを備えることを特徴とする果物台。
【請求項２】
熱可塑性エラストマー製であることを特徴とする請求項１記載の果物台。
【請求項３】
前記内縁リング帯部の帯幅が、１〜４ｍｍであることを特徴とする請求項１又は２記載の果物台。
【請求項４】
前記内縁リング帯部の帯の厚みが、２±０．４ｍｍであることを特徴とする請求項１〜３のいずれか１項記載の果物台。
【請求項５】
前記逆Ｕ字形断面のＵ字の字体の太さが、３±０．６ｍｍであることを特徴とする請求項１〜４のいずれか１項記載の果物台。
【請求項６】
前記逆Ｕ字形断面のＵ字の字体の高さが、１３〜２３ｍｍであることを特徴とする請求項１〜５のいずれか１項記載の果物台。
【請求項７】
前記果物が、メロン又はマンゴーであることを特徴とする請求項１〜６のいずれか１項記載の果物台。
【考案の詳細な説明】
【技術分野】
【０００１】
本考案は、スーパーや家庭の食卓などで、メロンやマンゴーを載せるために使用される果物台に関するものである。
【背景技術】
【０００２】
従来、スーパーや家庭の食卓などで、メロンやマンゴーなどの丸物を載せるために使用される果物台としては、図７に示すような木製板やプラスティック板１０１の中心部を円形状にくり抜いたものが使用されていた。また、くり抜いた円形部１０２の上方角部は、アールを付けて、載置される果物を痛めないようにしていた。このような果物台１００は、メロンやマンゴーなどの丸物の底部の一部が、円形部１０２に嵌るため、設置が安定する。また、果物台１００を用いて商品の陳列を行う場合、丸物商品の全体をシート状のクッション材で包み陳列する場合に比べて、商品の全体を直接見ることができるため、消費者にとっては品選びがし易いなどの利点があった。
【考案の開示】
【考案が解決しようとする課題】
【０００３】
しかしながら、従来の果物台１００は、果物と設置する部分に丸みを持たしたものであっても、載置される果物に傷をつけることがあった。特に、マンゴーなどの高級フルーツは傷つき易いものであった。
【０００４】
従って、本考案の目的は、載置される果物に傷をつけることがなく、設置安定性に優れる果物台を提供することにある。
【課題を解決するための手段】
【０００５】
かかる実情において、本考案者は鋭意検討を行った結果、特定形状のリング本体と、該リング本体１の下端の内周縁から該リング本体の中心方向に延びる内縁リング帯部とを備える果物台であれば、載置される果物に傷をつけることがなく、設置安定性に優れることを見出し、本考案を完成するに至った。
【０００６】
すなわち、本考案は、逆Ｕ字形断面のリング状であって、逆Ｕ字形の下端部が形成する裏面視で２つのリング帯が設置台に接地し、逆Ｕ字形の上方内側コーナー部で載置物の果物と当接する弾性のリング本体と、該リング本体の下端の内周縁から該リング本体の中心方向に延びる内縁リング帯とを備えることを特徴とする果物台を提供するものである。
【考案の効果】
【０００７】
本考案の果物台によれば、逆Ｕ字形の上方内側コーナー部と果物が当接する。この際、果物の重みにより、果物台全体が僅かに弾性変形するものの、リング本体に内縁リング帯部が形成されているため、当該変形が大きくなり過ぎることを防止して果物を傷つけることなく、安定的に支持する。すなわち、リング本体の内縁リング帯部は図４中、符号Ｚ方向に作用する力に対して、補強部材として作用する。また、果物が果物台から取り去られた後は、当該果物台の僅かな変形は元に戻る。
【考案を実施するための最良の形態】
【０００８】
本考案の実施の形態における果物台を図１〜図６を参照して説明する。図１は本実施の形態例の果物台の斜視図、図２は図１の果物台を裏から見た斜視図、図３は図１の果物台の平面図、図４は図１の果物台の側面図、図５は図３の果物台のＡ−Ａ線に沿って見た断面図、図６は図１の果物台の果物を載置した図をそれぞれ示す。
【０００９】
果物台１０の全体形状は、中央に開口５を有するリング状の弾性体である。果物台１０は、逆Ｕ字形断面のリング状（図５）であって、逆Ｕ字形の字体の２つの鉛直部の下端面が形成する裏面視で２つのリング帯３、４が設置台（不図示）に接地し、逆Ｕ字形の上方内側コーナー部６で載置物の果物８と当接するリング本体１と、リング本体１の下端の内周縁９からリング本体１の中心方向に延びる内縁リング帯部７とを備える。果物台１０は、弾性体であるものの、果物を安定して支持する強度を備えたものである。なお、逆Ｕ字形の字体の２つの鉛直部で囲まれる部分１１は空間部である。なお、リング本体１の下端の内周縁９から延びる内縁リング帯部７が形成されていないと、果物を安定して支持する強度が得られず、また、内縁リング帯部７が中心部まで延びたもの、すなわち、開口５を閉じるまで存在すると、果物が載置された場合、全く変形せず、果物に傷を与えてしまう。なお、内縁リング帯部７は、図２及び図５に示されるような、帯状のリング形状に限定されず、例えば図３の符号１５に示すような、射出成形により形成される舌状の片部や、不定形の片部が更に付加された形状であってもよい。
【００１０】
果物台１０は、例えば軟質の熱可塑性エラストマー製であり、射出成形機で成形される。熱可塑性エラストマーとしては、スチレン系熱可塑性エラストマーが挙げられる。その物性の一例を示すと、硬さ（Ａ）（ＪＩＳ  Ｋ６２５２）４０〜７０ポイント、比重（ＪＩＳ  Ｋ７１１３）０．９０〜１．００、伸び（ＪＩＳ  Ｋ６２５１）６５０〜９００％、引裂強さ（ＪＩＳ  Ｋ６２５２）２０〜５０ｋＮ/ｍである。また、このスチレン系熱可塑性エラストマーは透明性を有し、架橋ゴム（通常のゴム）に近い弾性を示す。熱可塑性エラストマーのこの優れた弾性は、例えば中空構造ではない無垢の円形断面のリングの場合のものであるが、これを、逆Ｕ字形断面とすることで、更に果物台に好適な弾性性能を高めたものとすることができる。
【００１１】
果物台１０において、内縁リング帯部の帯幅ｌ１は、好ましくは１〜４ｍｍ、特に好ましくは１〜２ｍｍである。内縁リング帯部の帯幅ｌ１がこの範囲であれば、果物の重みがあっても、果物を傷つけることなく極僅か変形し、しかも、支持強度を維持して設置安定性を高めることができる。果物台１０は、図４に示すように、例え上下から平板部材１２でＹ方向に挟みこんでも、上記構造を採るために、容易には変形しない。しかしながら、それ以外の方向、例えばＸ方向からの外力、あるいは水平方向の軸を中止として捩れる力に対しては容易に変形するものである。また、果物が載ると、Ｚ方向への力が作用するが、この場合、極僅かな全体変形を生じるものの、安定した支持力も発揮する。なお、平板部材１２は、果物台１０の変形状態や強度を説明するための仮想のものであり、本考案の果物台１０とは直接関係の無い部材である。
【００１２】
果物台１０において、逆Ｕ字形の字体の２つの鉛直部の下端部が形成する裏面視で２つのリング帯３、４の端面は平坦面であり、２つのリング帯の中、内側のリング帯から水平方向に延びる内縁リング帯部７の裏面も平坦面である。このため、該２つのリング帯３、４の下端面と、内縁リング帯部７の裏面とは面一を形成し、当該面が設置基台に接地する。
【００１３】
また、果物台１０において、内縁リング帯部の帯の厚みｔ２は、好ましくは２±０．４ｍｍ、特に好ましくは２．０ｍｍである。内縁リング帯部の帯の厚みが薄過ぎると、補強効果がで難く、内縁リング帯部の帯の厚みが厚過ぎると、変形し難くなると共に材料の無駄となる。
【００１４】
また、果物台１０において、逆Ｕ字形断面のＵ字の字体の太さｔ１、すなわち、設置基台に接地する２つのリング帯の当該リング帯の幅寸法は、好ましくは３±０．６ｍｍ、特に好ましくは３ｍｍである。Ｕ字の字体の太さが太過ぎると、変形し難く、材料の無駄となり、Ｕ字の字体の太さが細すぎると、支持強度が得られなくなる。
【００１５】
逆Ｕ字形断面のＵ字の高さＨ、すなわち、果物台の高さは、好ましくは１３〜２３ｍｍ、特に好ましくは１５〜１９ｍｍである。Ｕ字の高さＨが、高過ぎると、安定した支持が得られず、またＵ字の高さＨが、低過ぎると、変形し難くなる。
【００１６】
本考案の果物台に載置される果物としては、特に制限されないが、例えばメロン、マンゴー又は西瓜などが挙げられ、このうち、メロン、マンゴーの陳列に好適である。本考案の果物台は、円形リングであっても、楕円リングであってもよい。円形リングは、メロン、西瓜、マンゴーを載せるのに好適であり、楕円リングは球形以外の不定形の果物を載せるのに好適である。
【００１７】
果物台１０に、例えばメロンを載ると、図４中、Ｚ方向へ押圧力が作用するが、上記特有の構造を採るため、極僅かな全体変形を生じるものの、安定した支持力も発揮する。この極僅かな変形は、特に果物に当接する部分が果物の形状を包むように変形してクッションの役割を果たすため、果物を傷つけることがない。また、図４中、Ｚ方向へ押圧力に対しては、逆Ｕ字形の内側の下端部９から内側に延びる内縁リング帯部７の形状維持作用により、高い強度を維持して安定な支持力を発揮する。また、本考案の果物台は、透明性を有するため、高級感があり意匠性に優れる。
【図面の簡単な説明】
【００１８】
【図１】本実施の形態例の果物台の斜視図である。
【図２】図１の果物台を裏から見た斜視図である。
【図３】図１の果物台の平面図である。
【図４】図１の果物台の側面図である。
【図５】図３の果物台のＡ−Ａ線に沿って見た断面図である。
【図６】図１の果物台の果物を載置した図である。
【図７】従来の果物台の斜視図である。
【符号の説明】
【００１９】
１    リング状本体
２    内縁リング帯部
３    外側のリング帯
４    内側のリング帯
５    開口
６    逆Ｕ字形の上方内側コーナー部
７    内縁リング帯部
９    リング本体の下端の内周縁
１０    果物台
１１    逆Ｕ字形の中の空間部
Ｈ      逆Ｕ字形の高さ
ｔ１        Ｕ字の字体の太さ
ｔ２        内縁リング帯部の帯の厚み
【図１】
0003120186.tif 000003
【図２】
0003120186.tif 000004
【図３】
0003120186.tif 000005
【図４】
0003120186.tif 000006
【図５】
0003120186.tif 000007
【図６】
0003120186.tif 000008
【図７】
0003120186.tif 000009